(57)【特許請求の範囲】
【請求項１】
ユーザ端末による接触状況調査対象のコンテンツへの接触履歴を取得する履歴収集サーバと、
ユーザのプロフィール情報を管理し、前記ユーザ端末の端末識別情報と前記ユーザのユーザ識別情報の紐づけを行うためのユーザ情報突合ページの情報を提供するユーザ情報管理サーバと、を備え、
前記履歴収集サーバと前記ユーザ情報管理サーバは、接触状況の調査対象のコンテンツを配信するコンテンツ配信サーバおよび前記コンテンツ配信サーバのドメイン名を含むサブドメインを前記履歴収集サーバのサブドメインの別名として定義するＤＮＳサーバと、通信回線を介して接続され、
前記コンテンツには、前記サブドメインに対して、前記コンテンツに接触したユーザ端末の端末識別情報の発行および／または記録を行うように指示する情報を含む第１のタグが設定されており、
前記ユーザ情報突合ページのＵＲＬは、前記コンテンツ配信サーバのドメインを含み、前記ユーザ情報突合ページには、前記サブドメインに対して、前記ユーザ端末への端末識別情報の発行および／または記録を行うと共に、前記ユーザ識別情報を端末識別情報に紐づけて記録するように指示する情報を含む第２のタグが設定されており、
前記ユーザ端末において前記コンテンツを閲覧することにより前記第１のタグが発動すると、前記ＤＮＳサーバにおいて前記サブドメインに基づいて前記履歴収集サーバが特定されて、前記ユーザ端末から前記履歴収集サーバに前記第１のタグに設定される前記指示する情報が送信されることに応答して、前記履歴収集サーバが、前記ユーザ端末に対して前記ユーザ端末の端末識別情報の発行および／または記録を行い、
前記ユーザ端末において前記ユーザ情報突合ページにアクセスすることにより前記第２のタグが発動すると、前記ＤＮＳサーバにおいて前記サブドメインに基づいて前記履歴収集サーバが特定されて、前記ユーザ端末から前記履歴収集サーバに前記第２のタグに設定される前記指示する情報が送信されることに応答して、前記履歴収集サーバが、前記ユーザ端末に対して前記ユーザ端末の端末識別情報の発行および／または記録を行い、
前記第１のタグに基づいて記録された端末識別情報と、前記第２のタグに基づいて記録された端末識別情報を突合することにより、前記履歴収集サーバが、前記コンテンツへの接触履歴と前記ユーザ識別情報の紐づけを行う、
コンテンツ接触履歴取得システム。
【請求項２】
前記ユーザ端末において前記ユーザ情報突合ページにアクセスしてから一定時間が経過すると、第２のユーザ情報突合ページへリダイレクトし、
前記第２のユーザ情報突合ページのＵＲＬは、調査対象のコンテンツを配信する第２のコンテンツ配信サーバのドメインを含み、前記第２のユーザ情報突合ページには、前記第２のコンテンツ配信サーバのドメインを含む第２のサブドメインに対して、前記ユーザ端末への端末識別情報の発行および／または記録を行うように指示する情報を含む第３のタグが設定されており、
前記履歴収集サーバと前記ユーザ情報管理サーバは、前記第２のサブドメインを前記履歴収集サーバのサブドメインの別名として定義するＤＮＳサーバと、通信回線を介して接続されている、請求項１に記載のコンテンツ接触履歴取得システム。
【請求項３】
前記端末識別情報は、
前記ユーザ端末においてアクセスしているサイトのドメインに対応するクッキーである、請求項１または２に記載のコンテンツ接触履歴取得システム。
【請求項４】
前記ユーザ情報管理サーバは、
前記ユーザ端末に、定期的に前記ユーザ情報突合ページのＵＲＬを通知する、請求項１から３のいずれか１項に記載のコンテンツ接触履歴取得システム。
【請求項５】
履歴収集サーバによって、ユーザ端末による接触状況調査対象のコンテンツへの接触履歴を取得するコンテンツ接触履歴取得方法であって、
前記履歴収集サーバは、
ユーザのプロフィール情報を管理し、前記ユーザ端末の端末識別情報と前記ユーザのユーザ識別情報の紐づけを行うためのユーザ情報突合ページの情報を提供するユーザ情報管理サーバ、接触状況の調査対象のコンテンツを配信するコンテンツ配信サーバ、および前記コンテンツ配信サーバのドメイン名を含むサブドメインを前記履歴収集サーバのサブドメインの別名として定義するＤＮＳサーバと、通信回線を介して接続され、
前記コンテンツには、前記サブドメインに対して、前記コンテンツに接触したユーザ端末の端末識別情報の発行および／または記録を行うように指示する情報を含む第１のタグが設定されており、
前記ユーザ情報突合ページのＵＲＬは、前記コンテンツ配信サーバのドメインを含み、前記ユーザ情報突合ページには、前記サブドメインに対して、前記ユーザ端末への端末識別情報の発行および／または記録を行うと共に、前記ユーザ識別情報を端末識別情報に紐づけて記録するように指示する情報を含む第２のタグが設定されており、
前記ユーザ端末において前記コンテンツを閲覧することにより前記第１のタグが発動すると、前記ＤＮＳサーバにおいて前記サブドメインに基づいて前記履歴収集サーバが特定されて、前記ユーザ端末から前記履歴収集サーバに前記第１のタグに設定される前記指示する情報が送信されることに応答して、前記履歴収集サーバが、前記ユーザ端末に対して前記ユーザ端末の端末識別情報の発行および／または記録を行い、
前記ユーザ端末において前記ユーザ情報突合ページにアクセスすることにより前記第２のタグが発動すると、前記ＤＮＳサーバにおいて前記サブドメインに基づいて前記履歴収集サーバが特定されて、前記ユーザ端末から前記履歴収集サーバに前記第２のタグに設定される前記指示する情報が送信されることに応答して、前記履歴収集サーバが、前記ユーザ端末に対して前記ユーザ端末の端末識別情報の発行および／または記録を行い、
前記第１のタグに基づいて記録された端末識別情報と、前記第２のタグに基づいて記録された端末識別情報を突合することにより、前記履歴収集サーバが、前記コンテンツへの接触履歴と前記ユーザ識別情報の紐づけを行う、
コンテンツ接触履歴取得方法。
【発明の詳細な説明】
【技術分野】
【０００１】
本発明は、デジタルコンテンツやデジタル広告への接触状況を調査するコンテンツ接触履歴取得システムおよびコンテンツ接触履歴取得方法に関する。
【背景技術】
【０００２】
近年、デジタルコンテンツやデジタル広告への接触履歴を収集し、接触者の動向の分析や、広告の効果測定などに利用することが行われている。
【０００３】
例えば、特許文献１には、ユーザ端末でトラッキングタグを埋め込んだウェブサイトを表示すると、ユーザ端末にクッキーＩＤが割り付けられ、割り付けられたクッキーＩＤを識別子として、ユーザ端末の閲覧履歴を収集する方法が記載されている。
【先行技術文献】
【特許文献】
【０００４】
【特許文献１】特許第６３３７３３２号公報
【発明の概要】
【発明が解決しようとする課題】
【０００５】
しかし、近年、個人情報保護への関心の高まりにより、ユーザの端末を識別する情報を取得して調査に利用することが難しくなりつつある。特に、複数のドメイン間で利用できる端末識別情報であるサードパーティクッキーについては、同一端末による複数のサイトのコンテンツへの接触履歴を管理することができるため、従来はデジタルコンテンツへの接触調査に活用されてきた。また、調査機関等が発行するサードパーティクッキーを用いれば、同じ調査機関が管理するユーザ情報との紐づけも可能である。しかし、サードパーティクッキーは、今後は利用を制限されることが予想される。
【０００６】
そこで、本発明は、ユーザには操作の負担をかけずに、同一端末による複数のサイトのコンテンツへの接触履歴を管理すると共に、接触履歴とユーザ情報とを紐づけて記録できるようにすることを目的とする。
【課題を解決するための手段】
【０００７】
本発明に係るコンテンツ接触履歴取得システムは、ユーザ端末による接触状況調査対象のコンテンツへの接触履歴を取得する履歴収集サーバと、ユーザのプロフィール情報を管理し、前記ユーザ端末の端末識別情報と前記ユーザのユーザ識別情報の紐づけを行うためのユーザ情報突合ページの情報を提供するユーザ情報管理サーバと、を備え、前記履歴収集サーバと前記ユーザ情報管理サーバは、接触状況の調査対象のコンテンツを配信するコンテンツ配信サーバおよび前記コンテンツ配信サーバのドメイン名を含むサブドメインを前記履歴収集サーバのサブドメインの別名として定義するＤＮＳサーバと、通信回線を介して接続され、前記コンテンツには、前記サブドメインに対して、前記コンテンツに接触したユーザ端末の端末識別情報の発行および／または記録を行うように指示する情報を含む第１のタグが設定されており、前記ユーザ情報突合ページのＵＲＬは、前記コンテンツ配信サーバのドメインを含み、前記ユーザ情報突合ページには、前記サブドメインに対して、前記ユーザ端末への端末識別情報の発行および／または記録を行うと共に、前記ユーザ識別情報を端末識別情報に紐づけて記録するように指示する情報を含む第２のタグが設定されており、前記ユーザ端末において前記コンテンツを閲覧することにより前記第１のタグが発動すると、前記ＤＮＳサーバにおいて前記サブドメインに基づいて前記履歴収集サーバが特定されて、前記ユーザ端末から前記履歴収集サーバに前記第１のタグに設定される前記指示する情報が送信されることに応答して、前記履歴収集サーバが、前記ユーザ端末に対して前記ユーザ端末の端末識別情報の発行および／または記録を行い、前記ユーザ端末において前記ユーザ情報突合ページにアクセスすることにより前記第２のタグが発動すると、前記ＤＮＳサーバにおいて前記サブドメインに基づいて前記履歴収集サーバが特定されて、前記ユーザ端末から前記履歴収集サーバに前記第２のタグに設定される前記指示する情報が送信されることに応答して、前記履歴収集サーバが、前記ユーザ端末に対して前記ユーザ端末の端末識別情報の発行および／または記録を行い、前記第１のタグに基づいて記録された端末識別情報と、前記第２のタグに基づいて記録された端末識別情報を突合することにより、前記コンテンツへの接触履歴と前記ユーザ識別情報の紐づけを行うものである。
【０００８】
本発明に係るコンテンツ接触履歴取得方法は、履歴収集サーバによって、ユーザ端末による接触状況調査対象のコンテンツへの接触履歴を取得するコンテンツ接触履歴取得方法であって、前記履歴収集サーバは、ユーザのプロフィール情報を管理し、前記ユーザ端末の端末識別情報と前記ユーザのユーザ識別情報の紐づけを行うためのユーザ情報突合ページの情報を提供するユーザ情報管理サーバ、接触状況の調査対象のコンテンツを配信するコンテンツ配信サーバ、および前記コンテンツ配信サーバのドメイン名を含むサブドメインを前記履歴収集サーバのサブドメインの別名として定義するＤＮＳサーバと、通信回線を介して接続され、前記コンテンツには、前記サブドメインに対して、前記コンテンツに接触したユーザ端末の端末識別情報の発行および／または記録を行うように指示する情報を含む第１のタグが設定されており、前記ユーザ情報突合ページのＵＲＬは、前記コンテンツ配信サーバのドメインを含み、前記ユーザ情報突合ページには、前記サブドメインに対して、前記ユーザ端末への端末識別情報の発行および／または記録を行うと共に、前記ユーザ識別情報を端末識別情報に紐づけて記録するように指示する情報を含む第２のタグが設定されており、前記ユーザ端末において前記コンテンツを閲覧することにより前記第１のタグが発動すると、前記ＤＮＳサーバにおいて前記サブドメインに基づいて前記履歴収集サーバが特定されて、前記ユーザ端末から前記履歴収集サーバに前記第１のタグに設定される前記指示する情報が送信されることに応答して、前記履歴収集サーバが、前記ユーザ端末に対して前記ユーザ端末の端末識別情報の発行および／または記録を行い、前記ユーザ端末において前記ユーザ情報突合ページにアクセスすることにより前記第２のタグが発動すると、前記ＤＮＳサーバにおいて前記サブドメインに基づいて前記履歴収集サーバが特定されて、前記ユーザ端末から前記履歴収集サーバに前記第２のタグに設定される前記指示する情報が送信されることに応答して、前記履歴収集サーバが、前記ユーザ端末に対して前記ユーザ端末の端末識別情報の発行および／または記録を行い、前記第１のタグに基づいて記録された端末識別情報と、前記第２のタグに基づいて記録された端末識別情報を突合することにより、前記コンテンツへの接触履歴と前記ユーザ識別情報の紐づけを行うものである。
【発明の効果】
【０００９】
本発明によれば、ユーザには操作の負担をかけずに、同一端末による複数のサイトのコンテンツへの接触履歴を管理すると共に、接触履歴とユーザ情報とを紐づけて記録することができる。
【図面の簡単な説明】
【００１０】
【図１】本発明の実施の形態による、コンテンツ接触履歴取得システム１の概略を示すブロック図。
【図２】本発明の実施の形態による、コンテンツ接触履歴取得処理のフローチャート。
【図３】本発明の実施の形態による、コンテンツ接触履歴取得処理を説明する概略図。
【図４】本発明の実施の形態による、コンテンツへの接触履歴データとユーザのプロフィール情報との紐づけ処理のフローチャート。
【図５】本発明の実施の形態による、ユーザ情報突合ページの構成を説明する図。
【発明を実施するための形態】
【００１１】
次に、本発明を実施するための形態について、図面を参照して詳細に説明する。
実施の形態
図１は、本発明の実施の形態によるコンテンツ接触履歴取得システム１の概略を示すブロック図である。図１に示すように、コンテンツ接触履歴取得システム１は、コンテンツ配信サーバ１０、履歴収集サーバ２０、第１のＤＮＳ（Domain Name System）サーバ３０、第２のＤＮＳ（Domain Name System）サーバ４０、ユーザ情報管理サーバ５０、ユーザ端末６０を含んでいる。コンテンツ配信サーバ１０、履歴収集サーバ２０、第１のＤＮＳサーバ３０、第２のＤＮＳサーバ４０、ユーザ情報管理サーバ５０、およびユーザ端末６０は、通信ネットワークを介して接続されている。通信ネットワークは、有線又は無線ネットワークであり、インターネット、ＬＡＮ、専用線、電話回線、企業内ネットワーク、移動体通信網、ブルートゥース（登録商標）、ＷｉＦｉ（Wireless Fidelity）、その他の通信回線、それらの組み合わせ等を含む。
【００１２】
コンテンツ接触履歴取得システム１は、接触状況の測定対象のデジタルコンテンツへのユーザ端末６０からの接触履歴を取得すると共に、同一のユーザ端末６０が接触したコンテンツの分析や、あるコンテンツに接触したユーザの構成（男女比、年代別等）の分析等を行う。
【００１３】
コンテンツ配信サーバ１０は、測定対象のコンテンツを配信する動画配信サイト等のサーバである。コンテンツ配信サーバ１０は、汎用的なコンピュータによって構成され、そのコンピュータにおいて所定のサーバ用プログラムが動作することにより、サーバ機能を実現するものである。コンテンツ配信サーバ１０は、制御装置１１と記憶装置１２を備えている。制御装置１１は、ハードウェアとして、ＣＰＵ、ＲＯＭやＲＡＭ等のメモリ、入力インタフェース、出力インタフェース、通信インタフェース等を備えている。制御装置１１は、ＣＰＵがＲＯＭ等に格納されたプログラムを実行することにより各種機能を実現する。記憶装置１２は、ハードディスクドライブ等であり、コンテンツのデータ等が記録されている。
【００１４】
履歴収集サーバ２０は、測定対象のコンテンツへの接触履歴データとして、対象コンテンツを閲覧したユーザ端末６０から受信したクッキー情報（端末識別情報）を含むコンテンツ接触履歴を記録するサーバである。履歴収集サーバ２０は、汎用的なコンピュータによって構成され、そのコンピュータにおいて所定のサーバ用プログラムが動作することにより、サーバ機能を実現するものである。履歴収集サーバ２０は、制御装置２１と記憶装置２２を備えている。
【００１５】
制御装置２１は、ハードウェアとして、ＣＰＵ、ＲＯＭやＲＡＭ等のメモリ、入力インタフェース、出力インタフェース、通信インタフェース等を備えている。制御装置２１は、ＣＰＵがＲＯＭ等に格納されたプログラムを実行することにより各種機能を実現する。
【００１６】
記憶装置２２は、ハードディスクドライブ等であり、コンテンツへの接触履歴データとして、コンテンツに接触したユーザ端末６０に対して発行されたクッキー情報（端末識別情報）を含むコンテンツ接触履歴が記録されている。また、ユーザ情報突合ページにアクセスしたユーザ端末６０に対して発行されたクッキー情報（端末識別情報）とユーザＩＤ（ユーザ識別情報）が記録されている。
【００１７】
第１のＤＮＳサーバ３０と第２のＤＮＳサーバ４０は、通信ネットワーク上の名前解決機能を有するサーバであり、指定されたドメイン名をＩＰアドレスに変換する。第１のＤＮＳサーバ３０は、コンテンツ配信サーバ１０のドメインを管理するＤＮＳサーバであり、第２のＤＮＳサーバ４０は、履歴収集サーバ１０のドメインを管理するＤＮＳサーバである。
【００１８】
ユーザ情報管理サーバ５０は、モニターとして登録されているユーザのユーザＩＤとプロフィール情報（性別、年代、居住地域、メールアドレス等）を管理すると共に、ユーザ端末６０にユーザ情報突合ページへアクセスさせることにより、コンテンツへの接触履歴データと、ユーザのプロフィール情報とを紐づけるサーバである。ユーザ情報管理サーバ５０は、例えば、履歴収集サーバ２０を管理する業者等が管理する。ユーザ情報管理サーバ５０は、汎用的なコンピュータによって構成され、そのコンピュータにおいて所定のサーバ用プログラムが動作することにより、サーバ機能を実現するものである。ユーザ情報管理サーバ５０は、制御装置５１と記憶装置５２を備えている。制御装置５１は、ハードウェアとして、ＣＰＵ、ＲＯＭやＲＡＭ等のメモリ、入力インタフェース、出力インタフェース、通信インタフェース等を備えている。記憶装置５２は、ハードディスクドライブ等であり、ユーザＩＤとプロフィール情報等が記憶されている。
【００１９】
ユーザ端末６０は、ユーザが所有する、スマートフォン、携帯電話、タブレット端末、パーソナルコンピュータ（ＰＣ）、ノートＰＣ、ウェアラブルデバイス、携帯情報端末（ＰＤＡ）などの端末である。ユーザ端末６０は、プロセッサ、キーボードやマウス、操作ボタンやタッチパネルなどの入力装置、液晶ディスプレイなどの表示装置、通信インタフェース、ディスクドライブまたは半導体メモリ（ＲＯＭ、ＲＡＭなど）などの記憶装置を備えている。記憶装置には、プロセッサが実行するコンピュータプログラムが記憶されている。
【００２０】
次に、図２のフローチャートと、図３の概略図を用いて、コンテンツ接触履歴取得システム１による、コンテンツ接触履歴取得の流れについて説明する。ここでは、ユーザ端末６０から、コンテンツ配信サーバ１０が提供する動画配信サイトＡＢＣにアクセスし、動画コンテンツＣに接触した場合の履歴取得を例に説明する。コンテンツ配信サーバ１０のドメイン名は「abc.com」とする。
【００２１】
コンテンツＣには、測定タグＴ（第１のタグ）が埋め込まれている。測定タグＴには、ドメイン「abc.com」のサブドメイン「sub.abc.com」に対して、ユーザ端末６０に対するクッキー情報の発行と記録を行うように指示する内容の処理が記述されている。
【００２２】
まず、ユーザがユーザ端末６０を操作して、動画配信サイトＡＢＣにアクセスし、コンテンツＣを閲覧すると（ステップＳ１０１）、コンテンツＣに埋め込まれている測定タグＴが発動する（ステップＳ１０２）。
【００２３】
測定タグＴが発動すると、ユーザ端末６０からサブドメイン「sub.abc.com」へのアクセスが開始され、第１のＤＮＳサーバ３０においてサブドメイン「sub.abc.com」の名前解決（ＩＰアドレスの取得）が実行される（ステップＳ１０３）。第１のＤＮＳサーバ３０には、「sub.abc.com」のＣＮＡＭＥ設定が記憶されており、具体的には、例えば「sub.abc.com IN CNAME tag.xyz.com」という内容のレコードが記憶されている。このレコードは、「sub.abc.com」は「tag.xyz.com」のあだ名であることを表しており、「sub.abc.com」のＩＰアドレスは、実際にはサブドメイン「tag.xyz.com」のＩＰアドレスであることを示している。「tag.xyz.com」は、履歴収集サーバ２０のホスト名である。
【００２４】
サブドメイン「tag.xyz.com」の名前解決（ＩＰアドレスの取得）は、第２のＤＮＳサーバ４０において実行される。サブドメイン「tag.xyz.com」の名前解決が実行されると、第２のＤＮＳサーバ４０においてサブドメイン「tag.xyz.com」に基づいて履歴収集サーバ２０が特定されて、ユーザ端末６０から履歴収集サーバ２０に測定タグＴに設定される指示情報が送信され、それに応答して、履歴収集サーバ２０が、ユーザ端末６０に対して端末識別情報を発行し、および／またはコンテンツＣへの接触履歴データとして端末識別情報の記録を行う。また、履歴収集サーバ２０はユーザ端末６０に対して、クッキー情報を含むコンテンツ接触履歴データを送信する（ステップＳ１０４）。具体的には、ユーザ端末６０からのコンテンツＣへの接触が初めての場合には、履歴収集サーバ２０はユーザ端末６０を特定するための端末識別情報（実際には、ブラウザの識別情報）を発行し、ユーザ端末６０に当該端末識別情報（クッキー情報）と、コンテンツ接触情報（日時、コンテンツ識別情報等）を送信する。また、２回目以降の接触の場合には、ユーザ端末６０から履歴収集サーバ２０にユーザ端末６０に保存される端末識別情報が提供され、履歴収集サーバ２０は、当該端末識別情報と、コンテンツ接触情報とを含むコンテンツ接触履歴をユーザ端末６０へ送信する。
【００２５】
ユーザ端末６０は、受信したクッキー情報を含むコンテンツ接触履歴を保存すると共に、保存した情報のコピーを履歴収集サーバ２０に送信する（ステップＳ１０５）。
【００２６】
履歴収集サーバ２０は、ユーザ端末６０から受信したクッキー情報を含むコンテンツ接触履歴を記憶装置２２に記憶する（ステップＳ１０６）。
【００２７】
ここで、ユーザ端末６０に送信されたクッキー情報を履歴収集サーバ２０から発行されたものとして管理すると、コンテンツＣを表示するためにアクセスしているコンテンツ配信サーバ１０とは異なるドメインからのクッキーであるため、サードパーティクッキーとして認識される。しかし、本実施形態では、クッキーは、「abc.com」のサブドメイン「sub.abc.com」から発行されたクッキーとして管理されるため、ファーストパーティクッキーとして認識される。すなわち、ＣＮＡＭＥ設定を利用することにより、実際には履歴収集サーバ２０によって発行されたサードパーティクッキーが、「sub.abc.com」にアクセスして発行されたクッキーであることから、コンテンツ配信サーバ１０のドメインから発行されたファーストパーティクッキーとして扱われるようにしている。
【００２８】
すなわち、ユーザがユーザ端末６０からコンテンツＣに接触する度に、コンテンツＣに埋め込まれた測定タグが発動し、ファーストパーティクッキーによってユーザ端末６０（ブラウザ）が識別される接触履歴データが履歴収集サーバ２０に蓄積される。
【００２９】
次に、図４のフローチャートを用いて、コンテンツへの接触履歴データを、ユーザのプロフィール情報と紐づける仕組みについて説明する。
【００３０】
ユーザ情報管理サーバ５０は、ユーザＩＤが登録されているユーザのユーザ端末６０に対し、定期的にユーザ情報突合ページへのアクセスを促すメールを送信する（ステップＳ２０１）。メールには、ユーザにアクセスさせるＵＲＬと、当該ＵＲＬへのアクセスを促す文章等が記載されている。ＵＲＬは、コンテンツを配信するサイトのドメイン名を含むサブドメイン（例えば、配信サイトＡＢＣのドメイン名「abc.com」を含むサブドメイン「sub.abc.com」）に対応しており、さらに、当該ユーザのユーザＩＤがＵＲＬパラメータ（例えば、ＵＲＬの末尾に「？」に続けて記述される情報）としてＵＲＬに付加されている。具体的には、例えばユーザＩＤが「U123」であれば、ユーザ情報突合ページのＵＲＬは「sub.abc.com?id=U123」とすることができる。
【００３１】
ユーザが、ユーザ端末６０からメールに記載されたＵＲＬにアクセスすると（ステップＳ２０２）、ユーザ端末６０から、ＵＲＬ「sub.abc.com?id=U123」へのアクセスが開始され、第１のＤＮＳサーバ３０において「sub.abc.com」の名前解決（ＩＰアドレスの取得）が実行される。上述のとおり、第１のＤＮＳサーバ３０には、「sub.abc.com」のＣＮＡＭＥ設定（「sub.abc.com IN CNAME tag.xyz.com」）が記憶されており、「sub.abc.com」のＩＰアドレスは、実際にはサブドメイン「tag.xyz.com」のＩＰアドレスであることを示している。さらに、第２のＤＮＳサーバ４０において「tag.xyz.com」の名前解決が実行され、履歴収集サーバ２０が特定される。その結果、履歴収集サーバ２０内に構築されたユーザ情報突合ページがユーザ端末６０に表示される（ステップＳ２０３）。
【００３２】
ユーザ情報突合ページは、履歴収集サーバ２０内に構築されているが、記載されたＵＲＬ（ここでは「sub.abc.com?id=U123」）にアクセスしたユーザ側から見ると、コンテンツを配信するサイトのドメインである。ユーザ情報突合ページには、第２のタグが埋め込まれている。第２のタグには、サブドメイン「sub.abc.com」に対して、ユーザ端末６０に対するクッキー情報の発行と記録を行うように指示する内容の処理が記述されている。上述のとおり、第１のＤＮＳサーバ３０には、「sub.abc.com」のＣＮＡＭＥ設定、すなわち、「sub.abc.com IN CNAME tag.xyz.com」という内容のレコードが記憶されている。すなわち、「sub.abc.com」は「tag.xyz.com」のあだ名であることを表しており、「sub.abc.com」のＩＰアドレスは、実際にはサブドメイン「tag.xyz.com」のＩＰアドレスであることを示している。「tag.xyz.com」は、履歴収集サーバ２０のドメイン名である。
【００３３】
ユーザ情報突合ページの構成について、図４のフローチャートと図５を用いて詳しく説明する。図５に示すように、ユーザ端末６０からメールに記載されたＵＲＬにアクセスすると、まず１番目の配信サイトＡＢＣのユーザ情報突合ページＰ１が表示される。ユーザ情報突合ページＰ１が表示されると、ユーザ情報突合ページＰ１に埋め込まれた第２のタグ（タグＴ１）が発動し、配信サイトＡＢＣの調査対象コンテンツＣを閲覧した時と同様の仕組みにより、配信サイトＡＢＣのドメインに対応して発行されたクッキー（履歴収集サーバ２０によって発行されたクッキー）がユーザ端末６０に送信される（ステップＳ２０４）。すなわち、サブドメイン「sub.abc.com」に基づいて履歴収集サーバ２０が特定されて、ユーザ端末６０から履歴収集サーバ２０に第２のタグに設定される指示情報が送信されることに応答して、履歴収集サーバ２０からユーザ端末６０にクッキー情報が発行される。また、コンテンツを閲覧した際には、コンテンツ接触履歴として、端末識別情報（クッキー情報）と共に、コンテンツ接触情報（日時、コンテンツ識別情報等）が発行されたが、ユーザ情報突合ページでは、コンテンツ接触情報の代わりに、ＵＲＬパラメータとして設定されている当該ユーザのユーザＩＤが端末識別情報と共に発行される。なお、第２のタグに基づいて発行される端末識別情報と、第１のタグに基づいて発行される端末識別情報は、共に同じドメイン（例えば、「abc.com」）のサブドメイン（例えば、「sub.abc.com」）に対して発行が指示されているため、同一の端末識別情報が発行される。なお、本実施形態では、第１のタグと第２のタグにおいて、同じサブドメインに対してクッキーの発行を指示しているが、これらは、同じドメインに属する異なるサブドメイン（例えば、「sub1.abc.com」と「sub2.abc.com」）であってもよい。この場合にも、両サブドメインは同じドメインのサブドメインであるため、同一の端末識別情報が発行される。
【００３４】
ユーザ端末６０は、受信したクッキー情報を保存すると共に、クッキー情報とユーザＩＤを含む履歴を履歴収集サーバ２０に送信する（ステップＳ２０５）。履歴収集サーバ２０は、ユーザ端末６０から受信したクッキー情報を記憶装置２２に記憶する（ステップＳ２０６）。
【００３５】
さらに、ユーザ情報突合ページＰ１にアクセスしてから一定時間（例えば、１０秒）が経過すると、次のサイトのユーザ情報突合ページ（第２のユーザ情報突合ページ）が登録されている場合には（ステップＳ２０７：ＹＥＳ）、履歴収集サーバ２０の設定に基づいて、次のサイトのユーザ情報突合ページ（図５の例では、配信サイトＤＥＦのユーザ情報突合ページＰ２）へリダイレクトする（ステップＳ２０８）。ＵＲＬは、配信サイトＤＥＦのドメイン名を含むサブドメイン（例えば、配信サイトＤＥＦのドメイン名「def.com」を含むサブドメイン「sub.def.com」（第２のサブドメイン））に対応している。また、最初のユーザ情報突合ページと同様に、当該ユーザのユーザＩＤがＵＲＬパラメータとしてＵＲＬに付加されている。例えば、第２のユーザ情報突合ページのＵＲＬは「sub.def.com?id=U123」となる。第２のユーザ情報突合ページ（ユーザ情報突合ページＰ２）においても、サブドメイン「sub.def.com」に対して、ユーザ端末６０にクッキーを発行するよう指示するタグ（第３のタグ）が発動し、端末識別情報とユーザＩＤを含む履歴が発行される。このようにして、ユーザ情報突合ページに含まれる配信サイトのページに順次リダイレクトし、それぞれのページへアクセスした際に、各配信サイトに対応するクッキーが発行される。全ての配信サイトのページへのリダイレクトが完了すると（ステップＳ２０７：ＮＯ）、完了ページが表示される（ステップＳ２０９）。
【００３６】
履歴収集サーバ２０には、ユーザ端末６０から調査対象コンテンツを閲覧した際に記録された各サイトのファーストパーティクッキー（端末識別情報）とコンテンツ接触情報を含むコンテンツ接触履歴と、ユーザ情報突合ページにアクセスした際に記録されたファーストパーティクッキー（端末識別情報）とユーザＩＤを含む履歴が記録されている。ユーザ端末６０を特定する端末識別情報については、サイト毎に共通であるため、端末識別情報で突合することにより、コンテンツへの接触履歴とユーザＩＤを紐づけることができる。これにより、コンテンツへの接触履歴と、ユーザ情報管理サーバ５０に記録されているユーザのプロフィール情報とを紐づけることができる。
【００３７】
履歴収集サーバ２０に記録されている接触履歴データのうち、ユーザＩＤとの紐づけができたデータについて、ユーザプロフィールを用いて男女比、年代別構成比等を分析することにより、接触履歴データ全体の傾向を推定することができる。
【００３８】
また、本実施形態では同一ユーザ（ユーザ端末６０）に対応する端末識別情報はサイトによって異なるが、ユーザ情報突合ページを利用することによって、同じユーザによる接触履歴をまとめることができる。具体例を用いて説明すると、ユーザＵ１のユーザ端末６０に対して配信サイトＡＢＣに対応して発行された端末識別情報（クッキーＩＤ）は「１１１」、配信サイトＤＥＦに対応して発行された端末識別情報は「２２２」、配信サイトＧＨＩに対応して発行された端末識別情報は「３３３」とすると、コンテンツへの接触履歴データだけでは、これらのクッキーＩＤを含む履歴データが同一のユーザによるものであることは分からない。一方、ユーザＵ１がユーザ情報突合ページにアクセスすることにより、それぞれのクッキーＩＤがユーザＵ１のユーザＩＤと紐づけられるので、いずれの接触履歴もユーザＵ１によるものであることが特定できる。
【００３９】
以上のように、本実施形態によれば、コンテンツ配信サーバ１０によって配信される調査対象のコンテンツには、コンテンツ配信サーバ１０のドメイン名を含むサブドメインに対し、コンテンツに接触したユーザ端末６０へのクッキー情報の発行と、発行したクッキー情報（端末識別情報）を含むコンテンツ接触履歴の記録を行うように指示する第１のタグが設定されている。また、第１のＤＮＳサーバ３０において、コンテンツ配信サーバ１０のドメイン名を含むサブドメインの別名として履歴収集サーバ２０が定義されている。履歴収集サーバ２０が、コンテンツ配信サーバ１０および第１のＤＮＳサーバ３０と連携することにより、実際には、履歴収集サーバ２０から発行されるサードパーティクッキーがコンテンツ配信サーバ１０のドメインから発行されるファーストパーティクッキーとして扱われるので、サードパーティクッキーの利用が制限されているサイト等においても、従来のサードパーティクッキーを利用した接触履歴の管理と同等のことが行える。本実施形態によれば、調査対象のコンテンツを配信する各サイトにおいては、測定タグを設定することと、ＤＮＳサーバにサイト内のドメインのＣＮＡＭＥ設定を登録することだけを行えばよいので、ごく小さな負担しかかからない。
【００４０】
また、ユーザ端末６０からユーザ情報突合ページにアクセスしてもらうことにより、各配信サイトのドメインから発行されるファーストパーティクッキーと、ユーザ情報を紐づけて記録することができるようにした。これにより、全接触履歴データの傾向（男女比、年代比等）の推定や、同一ユーザによる複数サイトへの接触履歴の特定などを実現することができる。また、対象のサイトが増えた場合でも、リダイレクトするページを増やすことで簡単に対応することができる。なお、ユーザ情報突合ページは、履歴収集サーバ２０を管理する調査会社等が構築すればよいので、調査対象のコンテンツを配信しているサイトには負担がかからない。なお、本実施形態では、ユーザ情報突合ページのＵＲＬに、ユーザＩＤをＵＲＬパラメータとして付加することによって、履歴収集サーバ２０にユーザＩＤが送信されるようにしているが、ユーザＩＤの取得方法はこれに限られない。例えば、ユーザ情報突合ページのサイトに、ユーザＩＤを使用してログインしてもらい、ログイン中に第２のタグが発動してユーザＩＤを取得するようにしてもよい。
【００４１】
なお、本発明は、上述した実施形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述した各処理ステップは処理内容に矛盾を生じない範囲で任意に順番を変更し、または並列に実行することができる。また、各処理ステップ間に他のステップを追加してもよい。また、１ステップとして記載されているステップを、複数ステップに分けて実行してもよいし、複数ステップに分けて記載されているものを、１ステップとして把握することもできる。
【符号の説明】
【００４２】
１…コンテンツ接触履歴取得システム
１０…コンテンツ配信サーバ
１１…制御装置
１２…記憶装置
２０…履歴収集サーバ
２１…制御装置
２２…記憶装置
３０…第１のＤＮＳサーバ
４０…第２のＤＮＳサーバ
５０…ユーザ情報管理サーバ
５１…制御装置
５２…記憶装置
６０…ユーザ端末
【要約】      （修正有）【課題】同一端末による複数のサイトのコンテンツへの接触履歴を管理し、接触履歴とユーザ情報とを紐づけて記録できるようにする。【解決手段】コンテンツ接触履歴取得システムにおいて、履歴収集サーバと、ユーザ端末の端末識別情報とユーザのユーザ識別情報の紐づけを行うためのユーザ情報突合ページの情報を提供するユーザ情報管理サーバと、を備える。ユーザ端末においてコンテンツを閲覧することにより、ＤＮＳサーバにおいてサブドメインに基づいて特定される履歴収集サーバに、ユーザ端末から端末識別情報の発行／記録を指示する情報が送られ、ユーザ端末においてユーザ情報突合ページにアクセスすると、ＤＮＳサーバにおいてサブドメインに基づいて特定される履歴収集サーバにユーザ端末の端末識別情報の発行／記録を行い、２つの端末識別情報を突合せ、コンテンツへの接触履歴とユーザ識別情報の紐づけを行うことを指示する情報を送信する。【選択図】図２【図１】
0006915144.tif 000002
【図２】
0006915144.tif 000003
【図３】
0006915144.tif 000004
【図４】
0006915144.tif 000005
【図５】
0006915144.tif 000006